(57)【要約】      （修正有）【課題】エスカレータ等移動式搬送装置の照明装置において、照明ボックス内に照明器具を取り付ける際、小空間での取り付け作業の簡略化と効率化を得る。【解決手段】照明ボックス２内に照明器具１を設置した移動式搬送装置用の照明装置であって、照明ボックス２内の照明器具設置面に設けられた突起７の先端部が、照明器具１の裏面板に形成された突起挿入孔５から突き出して裏面板に掛止されている移動式搬送装置用の照明装置および移動式搬送装置用の照明装置の照明ボックス内への照明器具の設置方法。【選択図】図１
2007039185.tif 000002
【特許請求の範囲】
【請求項１】
照明ボックス内に照明器具を設置した移動式搬送装置用の照明装置であって、照明ボックス内の照明器具設置面に設けられた突起の先端部が、照明器具の裏面板に形成された突起挿入孔から突き出して該裏面板に掛止されている移動式搬送装置用の照明装置。
【請求項２】
突起の先端部が屈曲して裏面板に掛止されている請求項１に記載の移動式搬送装置用の照明装置。
【請求項３】
照明ボックス内の照明器具設置面に設けた突起を照明器具の裏面板に形成した突起挿入孔に挿入し、突起先端部を突起挿入孔から突き出して変形させ該裏面板に掛止して照明ボックス内に照明器具を設置する移動式搬送装置用の照明装置の製作方法。
【発明の詳細な説明】
【技術分野】
【０００１】
本発明は移動式搬送装置用の照明装置および照明装置の製作方法方法に関し、詳しくは、エスカレータ、移動歩道等の移動式搬送装置の底面や側面に容易に設置できる照明装置、およびその照明装置の製作方法に関する。
【背景技術】
【０００２】
通常、エスカレータ等の移動式搬送装置は、ステップおよびライザーが無限軌道上を循環移動し、人あるいは物を搬送する。この循環移動するステップおよびライザーはその下部のトラスによって支えられている。ステップの両側には強化ガラス製等の側板があり、その上には移動手擦りが付いている。通常、エスカレータ下部は側面板および底面板により覆われており、エスカレータが重なって設置され、その下部が天井の役目を果たしている場合などは、その底面板、場合によっては側面板にも照明装置が取り付けられている。
【０００３】
図６に示すように、この照明装置は照明ボックス２の内側に照明器具１が収納されており、照明ボックス２はエスカレータ内部のトラス１５の下部に設置されているオイルパン１８の裏面にＬ型鋼、丸棒またはターンバックルなどの照明装置固定部材１７により下向きに固定されている。通常、照明装置固定部材１７は照明ボックス２の側面にある補強部材等に溶接等により取り付けてある。そして、照明ボックス２の下部はアクリル板等の白色または無色の透明板１４で覆われている。通常、この照明ボックス２は、鋼板製のコの字型の断面形状をした細長い箱体である。従来は、まず照明ボックス２をエスカレータ本体に固定し、この照明ボックス２内に照明器具１をビスにより下向きに取り付けていた。この取り付け方法は、一人が照明ボックス内の照明器具設置部に、反射板を取り外した照明器具の裏面を合わせて位置決めをして押さえておき、もう一人が照明器具の裏面板に開けられたネジ穴から照明ボックスにビスを捻じ込んで照明器具を固定していた。この方法で照明器具を取り付ければ、照明装置としては問題なく使用できたので、技術的にあまり注意が払われてこなかった。しかし、最近は製造コストや品質の厳格な管理が要求されるに伴い、側面板や底面板、照明装置といった補助部品の取り付け方法について研究がなされている（例えば、特許文献１）。
【０００４】
【特許文献１】特開平１１−２３６１８２号公報
【発明の開示】
【発明が解決しようとする課題】
【０００５】
上述のように、エスカレータ用の照明装置については構造が比較的簡単で、エスカレータへの設置方法も単純であったのであまり注意が払われていなかった。しかし、エスカレータの設置労力および設置時間の短縮を図るためには、照明装置取り付け工程についても合理化する必要がある。
【０００６】
本発明は、照明ボックス内への照明器具の設置工程において省力化および設置時間を短縮するとともに、設置作業をさらに容易にして取り付けミスをなくすことのできる照明装置とその製作方法の提供を目的としている。
【課題を解決するための手段】
【０００７】
本発明者は、上記の課題を解決するため、照明ボックスと照明器具の結合部にあらかじめ突起および突起挿入孔を設けておき、これを嵌合することにより容易に照明器具の取り付けができる照明装置を創作した。すなわち、以下のような照明装置およびその製作方法である。
（１）照明ボックス内に照明器具を設置した移動式搬送装置用の照明装置であって、照明ボックス内の照明器具設置面に設けられた突起の先端部が、照明器具の裏面板に形成された突起挿入孔から突き出して該裏面板に掛止されている移動式搬送装置用の照明装置である。
（２）突起の先端部が屈曲して裏面板に掛止されている（１）に記載の移動式搬送装置用の照明装置である。
（３）照明ボックス内の照明器具設置面に設けた突起を照明器具の裏面板に形成した突起挿入孔に挿入し、突起先端部を突起挿入孔から突き出して変形させ該裏面板に掛止して照明ボックス内に照明器具を設置する移動式搬送装置用の照明装置の製作方法。
【発明の効果】
【０００８】
本発明における照明装置は、エスカレータ用の照明装置であり、エスカレータ設置工事中にエスカレータ裏面等に固定した照明ボックス内に照明器具を取り付けて完成するものである。従来のような照明器具の取り付けにおける位置決めやビスでの固定の手間が要らず、一人でほとんどワンタッチで照明器具を取り付けることができ、取り付けの労力の削減、取り付け時間の短縮、取り付け位置の不揃いがなく熟練作業不要などの効果がある。これにより、エスカレータ全体の作業工程も短くすることができる。
【発明を実施するための最良の形態】
【０００９】
本発明に係る移動式搬送装置には、エスカレータ、移動歩道、動く歩道、トラボレータ（商品名）、トラベータ（商品名）、およびコンペバイヤ（商品名）等色々の呼び名の装置があるが、説明の都合上、代表例としてエスカレータをあげて記述する。しかし、本発明に係る移動式搬送装置は、エスカレータ以外の移動式搬送装置を除外するものではなくその他の移動式搬送装置もすべて含んでいる。
【００１０】
本発明の移動式搬送装置用の照明装置の概要を図１に示す。この照明装置は前記図６のエスカレータ下部に取り付けられた照明装置の一部をその下から見た概略図である。照明ボックス２の内側上部に照明器具２が設置されており、照明ボックス２と照明器具１との結合用の突起７の出ている楕円部分Ａは、説明のため照明器具の裏面板４を残して、照明ボックス２の１部および照明器具の基体３を取り除いて図示している。また、図２は照明器具１を照明ボックス２に取り付ける前の状態の説明図であり、図３はこの照明装置の突起７による照明器具１と照明ボックス２との結合部分の横切断面の説明図である。
【００１１】
本発明の照明装置をこれらの図を参照しながら説明する。照明ボックス２内の照明器具設置部１１に設けられた突起７が照明器具１の裏面板４に形成された突起挿入孔５に挿入され、突起７の先端部が突起挿入孔５から突き出して該裏面板４に掛止されている。図３に従って説明すると、照明器具１の裏面を照明ボックス２の照明器具設置面６（照明ボックスの天板の内側）に取り付ける際、照明ボックス２の照明器具設置面６に設けられている突起７を、照明器具裏面板４に形成された突起挿入孔５に挿入して突起先端を屈曲させることにより、照明器具の基体３は突起７を介して照明ボックスと結合されている。照明器具の取り付け方法で説明すれば、照明ボックス製作時に、図２のように照明ボックス２の照明器具設置面６中の照明器具設置部１１に、例えば長方形の３辺に切断線を入れこれを照明ボックスの内側に垂直に起こして長方形の切り欠き１２を設け、起こした長方形の突起はＬ字状に成形し突起７としておく。一方、照明器具１の裏面板の突起に対応する部分には突起挿入孔５を設けてあり、突起挿入孔５が突起７に合わさるように照明器具１の裏面板４を照明ボックスの照明器具設置部１１に接合する。そして、突起７を突起挿入孔５に嵌め込んでいき、完全に嵌ったらペンチ等で突起先端部を屈曲させ照明器具裏面板４に掛止されるようにする。なお、照明器具基体３の反射板１０は照明器具の掛止が終わってから取り付ける。この状態が図１に示す状態である。
【００１２】
本発明の照明装置において、照明ボックスと照明器具とを結合するための突起の形状について説明する。一般に、照明器具は照明ボックスの天板の内側に下向きに取り付けられている。そのため、突起先端部が照明器具の裏面板に掛止されることにより照明器具が照明ボックスにぶら下がって結合している。そのためには、突起先端部は突起挿入孔に挿入されたのちは突起挿入孔から抜け難い形状になっていて、照明ボックスが重力等によって落下しない構造とする必要がある。そのような構造ならどのような形状でもよいが、代表的な形状を図４のａ〜ｄ図に示した。それぞれの図は裏面板の突起挿入孔から突き出している突起先端部を表している。ａ図の突起はすでに説明した形状であり、突起挿入孔に挿入した後で突起先端部の一部を捻じるように屈曲させて掛止構造を作っている。ｂ図の突起は、ａ図の突起の変形例でＴ字形の突起先端部の両側を捻じるように屈曲させたものである。ｃ図の突起は、単なる長方形の突起であるが、その先端部を折り返すように屈曲させている。これらの突起、特にｃ図に示した突起は素材を金属のような弾性体として最初から図に示したような形状にしておけば、突起先端の変形部分が突起挿入孔に挿入される際は、突起挿入孔の形状に変形し挿入後は元に戻り上記と同様の機能を果たす。ｄ図の突起は、ａ図の突起と同じ形状をしているが、突起挿入孔に挿入してから照明器具を照明ボックスと相対移動させ、突起が照明器具裏面板を掛止する構造となっている。この場合、突起の掛止するための先端部がエスカレータの上方向を向いていることが好ましい。このようにすれば、重力の作用を利用して照明器具が突起の先端部に掛止される。これらの突起は鋼板製の照明ボックスの天板の一部を切断変形させることにより簡単に形成でき、本発明の照明装置に好適な突起形状である。なお、ｅ図は従来の照明器具の結合状態を表している。本発明における照明ボックスに突起、照明器具に突起挿入孔を形成する組み合わせは、逆に照明器具に突起、照明ボックスに突起挿入孔を形成する組み合わせとすることもできる。
【００１３】
通常、照明ボックスの大きさは、縦方向は１ｍ〜数ｍと長いが幅および高さは２０〜３０ｃｍである。このような照明ボックスの内部に照明器具を取り付けた状態をしたから見た図が図５である。図５では蛍光灯１本形の照明器具を、発光しない蛍光灯装着部を重ねて、照明装置から放射される光にむらがでないような構造にしたものである。照明器具をこのような配置とするためには、照明器具の位置決めを正確に行わないと照明装置の発光むらを生じ易い。さらに、足場の悪いエスカレータ設置現場で上向きで狭い照明ボックス中に照明器具を取り付けるには、従来のビスでの固定方法では二人作業となり、熟練と労力も必要としていた。しかし、本発明では照明ボックスの突起も、照明器具の突起挿入孔も事前に製作しておいてエスカレータに取り付けていくので、取り付け現場では照明器具の位置決めに関し何ら注意を払わなくともよい。そのため、照明器具の取り付け作業は非熟練者でも一人で簡単にできる。なお、ひとつの照明器具には突起と突起挿入孔の組み合わせの照明器具掛止部１９が２〜８組個あることが好ましく、通常の蛍光灯照明器具であれば図５に示すように２個あれば十分好適な取り付けができる。
【産業上の利用可能性】
【００１４】
本発明の移動式搬送装置用の照明装置お呼びその製作方法は、ほとんどのエスカレータ等の移動式搬送装置設置に好適に利用できる。
【図面の簡単な説明】
【００１５】
【図１】図１は、本発明の照明装置の説明図である。
【図２】図２は、本発明の照明装置の組み立て説明図である。
【図３】図３は、本発明の照明装置の突起による結合部分の切断面の構造説明図である。
【図４】図４は、照明器具裏面板に形成した突起挿入孔に係止されている突起またはネジの状態を表す説明図である。
【図５】図５は、照明ボックス内の照明器具の配置状態の例示図である。
【図６】図６は、エレベータ内の照明装置の配置の例示図である。
【符号の説明】
【００１６】
１    照明器具
２    照明ボックス
３    照明器具の基体
４    照明器具の裏面板
５    照明器具裏面板に形成した突起挿入孔
６    照明ボックスの照明器具設置面
７    突起
８    蛍光灯
９    照明器具の蛍光灯装着部
１０    照明器具基体の反射板
１１    照明ボックスの照明器具設置部
１２    照明ボックスの照明器具設置面の切り欠き部
１３    エスカレータ
１４    エスカレータの照明器具保護板
１５    トラス
１６    照明器具固定用ネジ
１７    照明装置固定部材
１８    エスカレータ本体の底板（略称オイルパン）
１９    照明器具掛止部
Ａ    照明器具の基体内部の突起と突起挿入孔の結合状態を示す楕円部分
【図１】
2007039185.tif 000003
【図２】
2007039185.tif 000004
【図３】
2007039185.tif 000005
【図４】
2007039185.tif 000006
【図５】
2007039185.tif 000007
【図６】
2007039185.tif 000008